(57)【特許請求の範囲】
【請求項１】
ゴルフクラブのシャフトに装着される円筒部を有するグリップであって、
前記円筒部の軸方向に延びる仮想の基準線に直交する面における断面視で、所定の基準点から周方向に複数の突起が前記所定の基準点を中心に溝を各々挟んで円筒部の全域にわたって左右対称に配置され、
前記突起は、断面視で周方向に二つの斜辺を有し、前記基準点に対して近い側を第一斜辺とし、前記基準点に対して遠い側を第二斜辺としたときに、
前記第一斜辺が前記第二斜辺に比べて前記円筒部の外周面に対して急傾斜となっていることを特徴とするゴルフクラブ用グリップ。
【請求項２】
請求項１に記載のゴルフクラブ用グリップであって、
前記突起は、正面視で菱形状に形成され、前記菱形状の対角線が前記円筒部の軸方向及び周方向に向けられていることを特徴とするゴルフクラブ用グリップ。
【請求項３】
請求項２に記載のゴルフクラブ用グリップであって、
前記菱形状を形成する突起の外形辺のうち、前記基準点に近い側の一対の辺を第一外形辺とし、前記基準点から遠い側の一対の辺を第二外形辺としたときに、
前記第二外形辺が前記第一外形辺に比べて短くなるように形成されていることを特徴とするゴルフクラブ用グリップ。
【請求項４】
請求項１〜３のいずれか一項に記載のゴルフクラブ用グリップであって、
複数の前記突起の間に溝が形成され、
前記溝は、前記円筒部の外周面と平行の底部が形成されていることを特徴とするゴルフクラブ用グリップ。
【請求項５】
請求項１〜４のいずれか一項に記載のゴルフクラブ用グリップであって、
前記円筒部は、ゴルファーの手前側の手で握る第一領域と、前方側の手で握る第二領域が形成され、
前記第一領域に前記突起が形成され、前記第二領域に前記突起よりも高さが低い第二突起が形成されていることを特徴とするゴルフクラブ用グリップ。
【発明の詳細な説明】
【技術分野】
【０００１】
本発明は、ゴルフクラブ用グリップに関する。
【背景技術】
【０００２】
ゴルフクラブ用グリップは、ゴルフクラブのシャフトの基端側に設けられており、ゴルファーが手で握る部分である。このグリップは、機能として、スイング時にゴルファーの手から入力される力を効率よくシャフトやヘッドに伝えることが求められている。
【０００３】
従来のグリップとしては、特許文献１に、円筒部の表面に複数の交差する溝を設け、正方形や菱形の突起（島部）を形成したものが知られている。特許文献１において、溝の形状としては、断面視でＶ字状のものと矩形状のものが開示されている。また、突起の形状としては、正面視で正方形のものと菱形のものが開示されている。特許文献１に記載のグリップでは、当該溝形状及び突起の形状によって防滑性能の向上を図っている。
【先行技術文献】
【特許文献】
【０００４】
【特許文献１】特開２０２０−０１８３８６号公報
【発明の概要】
【発明が解決しようとする課題】
【０００５】
このように、従来よりグリップにおけるグリップ力（防滑性能）を向上させる試みがなされているが、市場においては、さらに高いグリップ力を持ちつつ、握った感触も良好なグリップが求められている。
【０００６】
本発明は、ゴルフクラブ用のグリップであって、従来よりもさらにグリップ力の高いグリップを提供することを目的とする。また、本発明は、握った感触も良好となるグリップを提供することを目的とする。
【課題を解決するための手段】
【０００７】
上記目的を達成するために、本発明のゴルフクラブ用グリップは、ゴルフクラブのシャフトに装着される円筒部を有するグリップであって、前記円筒部の軸方向に延びる仮想の基準線に直交する面における断面視で、所定の基準点から周方向に複数の突起が前記所定の基準点を中心に溝を各々挟んで円筒部の全域にわたって左右対称に配置され、前記突起は、断面視で周方向に二つの斜辺を有し、前記基準点に対して近い側を第一斜辺とし、前記基準点に対して遠い側を第二斜辺としたときに、前記第一斜辺が前記第二斜辺に比べて前記円筒部の外周面に対して急傾斜となっていることを特徴とする。
【０００８】
本発明のゴルフクラブ用グリップによれば、前記突起の第一斜辺が第二斜辺に比べて円筒部の外周面に対して急傾斜となっており、前記突起は基準点に対して周方向に対称に配置されている。ゴルファーがグリップを握ってゴルフクラブをスイングした際には、シャフトの中心軸を中心に時計回りの方向、或いは反時計回りの方向にそれぞれ捩れが発生する。本発明のグリップでは、いずれの方向に捩れが発生しても、前記突起の第一斜辺がゴルファーの手（グローブを含む）に食い込むため、高いグリップ力が得られる。
【０００９】
本発明のゴルフクラブ用グリップにおいて、前記突起は、正面視で菱形状に形成され、菱形の対角線が前記円筒部の軸方向及び周方向に向けられていてもよい。前記突起の形状を、正面視で菱形状（ウロコ状）とすることにより、ゴルファーがグリップを握ってスイングをする場合、菱形の頂点の部分がゴルファーの手に食い込むこととなり、高いグリップ力が得られる。
【００１０】
また、本発明のゴルフクラブ用グリップにおいて、前記菱形状を形成する突起の外形辺のうち、前記基準点に近い側の一対の辺を第一外形辺とし、前記基準点から遠い側の一対の辺を第二外形辺としたときに、前記第二外形辺が前記第一外形辺に比べて短くなるように形成してもよい。当該構成によれば、ゴルファーがグリップを握ってスイングをする場合、第一外形辺側の頂点の部分がゴルファーの手に食い込みやすくなる。
【００１１】
また、本発明のゴルフクラブ用グリップにおいて、複数の前記突起の間に溝が形成され、前記溝は、前記円筒部の外周面と平行の底部が形成されたものとしてもよい。当該構成により、突起と突起との間の間隔を所望の長さに保った状態で、第一斜辺及び第二斜辺の角度を所望の角度とすることができる。また、底部を設けることにより、ゴルファーがグローブを装着した状態であっても、突起がグローブに食い込みやすくなる。
【００１２】
また、本発明のゴルフクラブ用グリップにおいて、前記円筒部は、ゴルファーの手前側の手で握る第一領域と、前方側の手で握る第二領域が形成され、前記第一領域に前記突起が形成され、前記第二領域に前記突起よりも高さが低い第二突起が形成されていてもよい。
【００１３】
当該構成によれば、高いグリップ力が必要な第一領域に前記突起が設けられ、さほどグリップ力が必要とされない第二領域に前記第二突起が設けられるので、グリップ全体としてのグリップ力のバランスが良好となる。また、第二突起は、第一突起に比べて高さが低いので、ゴルファーが第二領域を握った際の感触をソフトなものとすることができる。
【発明の効果】
【００１４】
本発明によれば、ゴルフラブ用のグリップにおいて、突起の形状を特殊な形状とすることにより、従来に比べて高いグリップ力を得ることができる。また、第二突起によって、ゴルファーがグリップを握った感触を良好なものとすることができる。
【図面の簡単な説明】
【００１５】
【図１】（Ａ）は本実施形態のグリップの基端側の表面を示す説明図、（Ｂ）は（Ａ）の一部拡大図。
【図２】（Ａ）は図１のＡ−Ａ線断面図、（Ｂ）は（Ａ）の一部拡大図、（Ｃ）は第一突起の形状を示す説明図。
【図３】本実施形態のグリップを正面から見た状態を示す説明図。
【図４】（Ａ）〜（Ｄ）は図３Ａ−Ａ線〜Ｄ−Ｄ線の各断面図。
【図５】（Ａ）は第一突起の拡大断面図、（Ｂ）は第二突起の拡大断面図。
【発明を実施するための形態】
【００１６】
次に、本発明の実施形態の一例であるゴルフクラブ用のグリップについて、図１〜図５を参照して説明する。図１（Ａ）は、本実施形態のグリップ１の基端側の形状を示す斜視図である。グリップ１は、ゴルフクラブのシャフト（図示省略）に装着される円筒部２を有しており、円筒部２の表面には複数の突起が形成されている。本実施形態のグリップ１の材質は、従来ゴルフクラブ用グリップに使用されているゴム組成物、又は樹脂組成物を用いることができる。
【００１７】
本実施形態においては、突起として、図１（Ａ）に示すように、円筒部２の表面に複数形成された第一突起１０（本願発明における突起）を備えている。また、突起として、円筒部２において、軸方向に延びる仮想の基準線Ｌ上に複数の中央突起３を備えている。また、図３に示すように、グリップ１の先端側には第二突起２０が設けられている。本実施形態においては、第一突起１０が主にグリップ１におけるグリップ力の向上を担う突起となっている。
【００１８】
第一突起１０は、図１〜図３に示すように、円筒部２の正面視で菱形状に形成されており、いわゆるウロコ状の形状を有している。図２（Ａ）及び（Ｂ）に示すように、第一突起１０は、円筒部２の軸方向に直交する面における断面視で周方向に二つの斜辺を有している。具体的には、第一突起１０は、円筒部２の外周面２ｓに対して急傾斜となっている第一斜辺１１と、円筒部２の外周面２ｓに対して緩傾斜となっている第二斜辺１２を備えている。
【００１９】
第一斜辺１１は、第二斜辺１２に比べて、円筒部２の仮想の基準点Ｐに近い位置に設けられている。この基準点Ｐは、円筒部２の所定の位置に設けられる点であり、仮想の点でもよく、実際に突起や凹部で形成してもよい。
【００２０】
図２（Ａ）に示すように、円筒部２には、複数の同一形状の第一突起１０が、基準点Ｐから周方向に左右対称に配置されている。具体的には、基準点Ｐを含む中央に中央突起３が設けられ、溝３０を挟んで左右に第一突起１０が設けられ、さらに溝３０を挟んで複数の第一突起１０が設けられている。図２（Ａ）及び（Ｂ）に示すように、本実施形態における溝３０には、円筒部２の外周面と平行の面である底部３１が形成されている。
【００２１】
第一突起１０は、図２（Ｃ）に示すように、円筒部２の正面視で菱形状に形成されている。この菱形状を形成する４辺の外形辺は、基準点Ｐに近い側の一対の辺が第一外形辺１３であり、遠い側の辺が第二外形辺１４となっている。本実施形態では、第一外形辺１３に比べて第二外形辺１４が短くなるように形成されている。また、本実施形態では、第一外形辺１３及び第二外形辺１４は、外側に向けて緩やかに円弧状に湾曲する形状となっている。
【００２２】
また、本実施形態においては、第一突起１０は菱形状の各頂点を結ぶ一対の対角線の一方の対角線Ｄ１が円筒部２の軸方向に向けられ、他方の対角線Ｄ２が円筒部２の周方向に向けられている。この対角線の向きは、厳密に軸方向及び周方向に合わせてもよいが、これらの方向に対して角度をつけてもよい。
【００２３】
次に、図３及び図４を参照して、本実施形態のグリップ１の全体の構成について説明する。図３は、本実施形態のグリップ１を正面から見た状態を示す図であり、図の左側が第一領域２ａであり、図の右側が第二領域２ｂとなっている。また、第一領域２ａと第二領域２ｂの間には、中間領域２ｃが設けられている。
【００２４】
ゴルファーが右利きの場合、グリップ１を握るゴルファーの手前側の手が左手となり、左手で第一領域２ａを握ることになる。このとき、左手の親指は、中間領域２ｃに載置される。また、ゴルファーの前方側の手は右手となり、右手で第二領域２ｂを握ることになる。
【００２５】
第一領域２ａには第一突起１０が設けられており、中間領域２ｃの表面には菱形状の凹部４が形成されている。第二領域２ｂの基端側の領域には第二突起２０が設けられており、前方側の領域には第二突起２０の他にグリップ１の商標等を表示可能な表示部５と、装飾用の装飾突起６が設けられている。また、本実施形態では、グリップ１の基端側の端部近傍と前方側の端部近傍に、基準点Ｐの位置を示す基準マーク７が設けられている。
【００２６】
図３において、Ａ−Ａ部分の断面は、基準点Ｐに中央突起３がない箇所の断面であり、断面形状は図４（Ａ）となる。図４（Ａ）に示すように、第一突起１０は基準点Ｐを中心に、円筒部２の全域に亘って左右に対称に配置されている。
【００２７】
図３におけるＢ−Ｂ部分は、凹部４が形成された中間領域２ｃの断面であり、断面形状は図４（Ｂ）となる。凹部４は、円筒部２の外周面２ｓから四角錐を押しつけて窪ませた形状を有している。また、図４（Ｂ）に示すように、中間領域２ｃでは、表面に凹部４が設けられており、裏面に第一突起１０が設けられている。
【００２８】
図３におけるＣ−Ｃ部分は、第二突起２０が設けられた第二領域２ｂの断面であり、断面形状は図４（Ｃ）となる。図４（Ｃ）に示すように、第二突起２０は、第二領域２ｂにおける円筒部２の全域に亘って設けられている。
【００２９】
図３におけるＤ−Ｄ部分は、第二領域２ｂにおいて表示部５が設けられた部分の断面であり、断面形状は図４（Ｄ）となる。図４（Ｄ）に示すように、円筒部２の表示部５が設けられている箇所の裏面側には、第二突起２０が設けられている。
【００３０】
図５（Ａ）は第一突起１０の拡大断面図であり、図５（Ｂ）は第二突起２０の拡大断面図である。第一突起１０の高さＨ１は、図５（Ａ）に示すように、円筒部２の外周面２ｓと、溝３０の底部３１を周方向に延長した面との間の高さであり、本実施形態では０．４３ｍｍとなっている。また、本実施形態においては、第一突起１０の間の溝３０の幅Ｗは１．３ｍｍ（底の幅は０．３８ｍｍ）に形成されている。また、本実施形態では、第一斜辺１１の角度を１０３°とし、第二斜辺１２の角度を１４１°としている。
【００３１】
一方で、第二突起２０の高さＨ２は、０．３１ｍｍとしている。このように、本実施形態では、第二突起２０の高さが第一突起１０の高さよりも低くなるように形成されている。また、第二突起２０の角度を１０３°としている。
【００３２】
本実施形態のグリップ１は、第一領域２ａの第一突起１０及び溝３０が上記構成となっているため、適度なグリッププレッシャーを得ることができる。また、第二領域２ｂの部分は、ゴルファーが素手で握ることが多いが、第二突起２０が第一突起１０に比べて低く形成されているので、握り心地をソフトにすることができる。
【００３３】
本実施形態のグリップ１によれば、ゴルファーがゴルフクラブを握ってスイングした際、仮にボールをミスヒットした場合であっても、グリップ１の第一突起１０がゴルファーの手に食い込むため、ゴルフクラブとゴルファーの手との滑りが防止され、ミスの拡大が防止される。従って、本実施形態のグリップ１によれば、打ったボールの方向性がよくなり、飛距離が伸びることが期待される。
【００３４】
また、グリップ１には、基準点Ｐの位置を示す基準マーク７が設けられており、さらに仮想の基準線Ｌに沿って中央突起３が円筒部２の軸方向に沿って設けられている。このため、ゴルファーは、グリップ１を見た際にゴルフクラブの正しい方向を容易に把握することができ、グリップ１を握る位置が明確になる。
【００３５】
なお、上記実施携帯における第一突起１０の高さＨ１、第二突起２０の高さＨ２、第一斜辺１１の角度、第二斜辺１２の角度、或いは溝３０の幅Ｗは、円筒部２の材質や、ゴルフクラブの種類によって適宜変更することができる。
【符号の説明】
【００３６】
１…グリップ
２…円筒部
２ｓ…外周面
３…中央突起
１０…第一突起
１１…第一斜辺
１２…第二斜辺
２０…第二突起
３０…溝
３１…底部
Ｐ…基準点
【要約】
【課題】本発明は、ゴルフクラブ用のグリップについて、従来よりもさらにグリップ力の高く、握った感触が良好なグリップを提供する。
【解決手段】グリップ１は、円筒部２を有し、その表面には複数の突起が形成されている。第一突起１０は、ウロコ状に形成されており、ゴルファーがゴルフクラブをスイングした際に、ゴルファーの手（グローブを含む）に食い込むように形成されている。第一突起１０の周方向の斜辺は、基準点Ｐに近い側が第一斜辺１１となっており、基準点Ｐから遠い側が第二斜辺１２になっている。第一斜辺１１は、第二斜辺１２に比べて傾斜が大きくなるように形成されている。本発明のグリップ１は、この斜辺の角度とウロコ状の形状により、従来のグリップに比べて高いグリップ力が得られる。これにより、ゴルフクラブで打ったボールの弾道が安定し、ボールの飛距離も伸ばすことができる。
【選択図】図１【図１】
0006956439.tif 000002
【図２】
0006956439.tif 000003
【図３】
0006956439.tif 000004
【図４】
0006956439.tif 000005
【図５】
0006956439.tif 000006